(57)【要約】【課題】この発明は濾過精度が良く、且つ、フィルターを清水で洗い流す事により、長期間にわたってフィルターが使用可能で、且つ、悪臭を取り除き環境に優しい回転式汚水浄化装置を開発・提供する事にあった。【解決手段】所定の傾斜角度を有する横向円筒型浄化槽の回転中心部に汚水孔と清水孔の二つの通路に分けられた二重管構造の通路を有する横向従動軸を設け、両端を軸受台で保持し、且つ、該横向従動軸の一端に、汚水用と清水用の二種類のスィーベルジョイントを一つ又は複数設け、他端にスプロケット等の伝達手段を嵌着し、モートル等の駆動手段によって、駆動軸側の回転運動を従動軸側に伝達する為のスプロケットやチェーン等の伝達手段をそれぞれ噛合わせて巻回し、且つ、該横向円筒型浄化槽の外周部を包囲する為の上蓋と浄化済水受排水槽を上下二分割して設けた回転式汚水浄化装置。【選択図】  図１
2004249155.tif 000002
【特許請求の範囲】
【請求項１】
回転式汚水浄化装置において、横向円筒型浄化槽（１）の回転中心部に横向従動軸（２）を設け、且つ、該横向従動軸（２）は所定の傾斜角度（α）を有し、両端をブラケット（４ａ）（４ｂ）上に設けた軸受台（３）で保持し、且つ、該横向従動軸（２）の一端には、汚水（ＦＷ）用と清水（ＰＷ）用の二種類のスィーベルジョイント（５）（６）を一つ又は複数設け、他端にスプロケット等の伝達手段（７）を嵌着し、モートル等の駆動手段（Ｍ）によって、駆動軸（９）側の回転運動を従動軸（２）側に伝達する為のスプロケットやチェーン等の伝達手段（８）（１０）をそれぞれ噛合わせて巻回し、且つ、該横向円筒型浄化槽（１）の外周部を包囲する為の上蓋（１１）と浄化済水受排水槽（１２）を上下二分割して設けた事を特徴とする回転式汚水浄化装置。
【請求項２】
横向円筒型浄化槽（１）の回転中心部に設けられた横向従動軸（２）の内部構造が、汚水孔（２ａ）と清水孔（２ｂ）の二つの通路に分けられた二重管構造の通路と複数の汚水用通過穴（２ｃ）を有し、且つ、該横向円筒型浄化槽（１）内部の従動軸外周部には截頭円錐筒状に形成されたステンレス金網製等のフィルター（１ａ）を設け、且つ、該フィルター（１ａ）の外周部には二重管から複数の洗浄管を分岐連接し、且つ、該洗浄管にはフィルター中心方向に向けて複数の清水用穴（１３ａ）を設け、且つ、該横向円筒型浄化槽（１）の内周部内側に砂（１ｂ）やおがくず（１ｃ）や珪素（１ｄ）等をメッシュ袋（１４）に収納して設けた浄化材（Ｐ）と外側に活性炭（１ｅ）やゼオライト（１ｆ）等をメッシュ袋（１４）に収納して設けた浄化材（Ｐ’）を内外二重の層に分割して設けた事を特徴とする請求項１記載の回転式汚水浄化装置。
【発明の詳細な説明】
【０００１】
【発明の属する技術分野】
この発明は、回転式汚水浄化装置に関するものであり、特に豚糞等の汚水を清水に浄化させるためのものである。
【０００２】
【従来の技術】
従来、養豚場等において豚糞等が混ざった汚水を清水に浄化させる方法として箱型やタンク型の浄化装置を設けて、上から汚水を流し込みフィルターで濾す事によって下から浄化された水が出てくる極一般的な方法をとっていた。
【０００３】
しかし、従来型のやり方はフィルターの目詰まりが早く、頻繁にフィルターを交換する必要があり、作業性が悪く、また経済的にもコストが掛かる等問題があった。
【０００４】
又、従来型は濾過精度もあまり良くなく、悪臭等による公害問題にも成りかねない状況にある等改善すべき課題が多かった。
【０００５】
【発明が解決しようとする課題】
そこで、この発明は濾過精度が良く、且つ、フィルターを清水で洗い流す事により、長期間にわたってフィルターが使用可能で、且つ、悪臭を取り除き環境に優しい回転式汚水浄化装置を開発・提供する事にあった。
【０００６】
【課題を解決するための手段】
この課題を解決する為の手段として、この発明は、横向円筒型浄化槽の回転中心部に横向従動軸を設け、且つ、該横向従動軸は所定の傾斜角度を有し、両端をブラケット上に設けた軸受台で保持し、且つ、該横向従動軸の一端には、汚水用と清水用の二種類のスィーベルジョイントを一つ又は複数設け、他端にスプロケット等の伝達手段を嵌着し、モートル等の駆動手段によって、駆動軸側の回転運動を従動軸側に伝達する為のスプロケットやチェーン等の伝達手段をそれぞれ噛合わせて巻回し、且つ、該横向円筒型浄化槽の外周部を包囲する為の上蓋と浄化済水受排水槽を上下二分割して設け、且つ、横向円筒型浄化槽の回転中心部に設けられた横向従動軸の内部構造が、汚水孔と清水孔の二つの通路に分けられた二重管構造の通路と複数の汚水用通過穴を有し、且つ、該横向円筒型浄化槽内部の従動軸外周部には截頭円錐筒状に形成されたステンレス金網製等のフィルターを設け、且つ、該フィルターの外周部には二重管から複数の洗浄管を分岐連接し、且つ、該洗浄管にはフィルター中心方向に向けて複数の清水用穴を設け、且つ、該横向円筒型浄化槽の内周部内側に砂やおがくずや珪素等をメッシュ袋に収納して設けた浄化材と外側に活性炭やゼオライト等をメッシュ袋に収納して設けた浄化材を内外二重の層に分割して設けたものである。
【０００７】
【発明の実施の形態】
そこで、この発明の一実施例を図１〜図５に従って詳述すると、横向円筒型浄化槽（１）の回転中心部に横向従動軸（２）を設け、且つ、該横向従動軸（２）は所定の傾斜角度（α）を有し、両端をブラケット（４ａ）（４ｂ）上に設けた軸受台（３）で保持し、且つ、該横向従動軸（２）の一端には、汚水（ＦＷ）用と清水（ＰＷ）用の二種類のスィーベルジョイント（５）（６）を一つ又は複数設け、他端にスプロケット等の伝達手段（７）を嵌着し、モートル等の駆動手段（Ｍ）によって、駆動軸（９）側の回転運動を従動軸（２）側に伝達する為のスプロケットやチェーン等の伝達手段（８）（１０）をそれぞれ噛合わせて巻回し、且つ、該横向円筒型浄化槽（１）の外周部を包囲する為の上蓋（１１）と浄化済水受排水槽（１２）を上下二分割して設け、又、横向円筒型浄化槽（１）の回転中心部に設けられた横向従動軸（２）の内部構造が、汚水孔（２ａ）と清水孔（２ｂ）の二つの通路に分けられた二重管構造の通路と複数の汚水用通過穴（２ｃ）を有し、且つ、該横向円筒型浄化槽（１）内部の従動軸外周部には截頭円錐筒状に形成されたステンレス金網製等のフィルター（１ａ）を設け、且つ、該フィルター（１ａ）の外周部には、二重管から複数の洗浄管を分岐連接し、且つ、該洗浄管にはフィルター中心方向に向けて複数の清水用穴（１３ａ）を設け、且つ、該横向円筒型浄化槽（１）の内周部内側に砂（１ｂ）やおがくず（１ｃ）や珪素（１ｄ）等をメッシュ袋（１４）に収納して設けた浄化材（Ｐ）と外側に活性炭（１ｅ）やゼオライト（１ｆ）等をメッシュ袋（１４）に収納して設けた浄化材（Ｐ’）を内外二重の層に分割して設けた事を特徴とする回転式汚水浄化装置から構成されている。
【０００８】
そこで、この発明の主要な部品構成を説明すると、汚水と清水の部屋に分割された二重管構造の従動軸（２）を有する横向円筒型浄化槽（１）と、その従動軸の両端部を保持するブラケット（４ａ）（４ｂ）上に設けた軸受台（３）と、従動軸を回転させるモートル等の駆動手段（Ｍ）から構成されている。
【０００９】
次に、この発明の作動原理について説明すると、駆動手段（Ｍ）であるモートル側の従動軸（２）の先端と駆動軸（９）の先端には、それぞれ外形の異なったスプロケット等の伝達手段（７）（８）を嵌着し、各スプロケット間をチェーン等の伝達手段（１０）により連結し、モートル（Ｍ）を任意の回転方向に低速回転（約２０回転／分）させる事によって、その動力が小径スプロケット（８）からチェーン等の伝達手段（１０）に伝達され、従動軸（２）が回転し横向円筒型浄化槽（１）が回転する。
【００１０】
次に、汚水（ＦＷ）と清水（ＰＷ）の流出経路について説明すると、まず、図５に示す様に、汚水（ＦＷ）は、スィーベルジョイント（５）から二重管（２ａ）の従動軸中心部を経由して複数の汚水用通過穴（２ｃ）を通り、更に、截頭円錐筒状に形成されたステンレス金網製のフィルター（１ａ）と、砂（１ｂ）やおがくず（１ｃ）や珪素（１ｄ）等の浄化材（Ｐ）と、活性炭（１ｅ）やゼオライト（１ｆ）等の浄化材（Ｐ’）を経由して濾過され、最終的には浄化済水受排水槽（１２）へ貯水され、浄化済水排水孔（１２ａ）から排出される。
【００１１】
又、一方清水（ＰＷ）側は、スィーベルジョイント（６）から二重管（２ｂ）の内周部を経由してフィルター（１ａ）の外周部に分岐連接された複数の洗浄管（１３）に設けられた清水用穴（１３ａ）からフィルター（１ａ）が逆洗され、最終的には、汚水と同様受排水槽（１２）へ貯水され、浄化済水排水孔（１２ａ）から排出される。
【００１２】
又、この時フィルター（１ａ）に付着していた汚物（豚糞その他等）は、所定の傾斜角度（α）を設けて回転させる事で、清水（ＰＷ）により洗い流され、最終的には汚物流出用樋（１５）を経由して貯水タンク（１６）へ流れ落ちる。
【００１３】
更に、駆動軸（９）と従動軸（２）を連結したチェーン等の伝達手段（１０）の外周部には安全対策用のチェーンカバー（１７）を設けている。
【００１４】
【発明の効果】
所定の傾斜角度（α）を設けた回転式汚水浄化装置にする事で、汚水（ＦＷ）が均等にフィルター（１ａ）によって濾過され、且つ、清水（ＰＷ）でフィルター（１ａ）を逆洗する事で、フィルター（１ａ）の耐久性が従来品に比較して数十倍も長く成り、コスト安や作業性の改善等、経済的効果が大きい。
【００１５】
又、フィルター（１ａ）の外周部に二重の層に分割した浄化材（Ｐ）（Ｐ’）を設ける事で、濾過精度が増し、且つ、悪臭等が除去される等、環境汚染や公害問題に対しても有益な効果を奏するものである。
【図面の簡単な説明】
【図１】この発明の一実施例を示し、正面図である。
【図２】この発明の一実施例を示し、（Ａ）は右側面図で、（Ｂ）は左側面図である。
【図３】この発明の一実施例を示し、（Ａ）は図１のａ−ａ断面図で、（Ｂ）は図３（Ａ）のａ部拡大詳細図である。
【図４】この発明の一実施例を示し、横向円筒型浄化槽の拡大詳細図である。
【図５】この発明の一実施例を示し、汚水用及び清水用スィーベルジョイント部の内部構造図である。
【符号の説明】
１  横向円筒型浄化槽
１ａ  フィルター
１ｂ  砂
１ｃ  おがくず
１ｄ  珪素
１ｅ  活性炭
１ｆ  ゼオライト
２  横向従動軸
２ａ  汚水孔
２ｂ  清水孔
２ｃ  汚水用通過穴
３  軸受台
４ａ  ブラケット
４ｂ  ブラケット
５  汚水用スィーベルジョイント
６  清水用スィーベルジョイント
７  スプロケット等の伝達手段
８  スプロケット等の伝達手段
９  駆動軸
１０  チェーン等の伝達手段
１１  上蓋
１２  浄化済水受排水槽
１２ａ  浄化済水排水孔
１３  洗浄管
１３ａ  清水用穴
１４  メッシュ袋
１５  汚物流出用樋
１６  貯水タンク
１７  チェーンカバー
Ｍ  モートル等の駆動手段
ＦＷ  汚水
ＰＷ  清水
Ｐ  浄化材
Ｐ’  浄化材
α  傾斜角度
【図１】
2004249155.tif 000003
【図２】
2004249155.tif 000004
【図３】
2004249155.tif 000005
【図４】
2004249155.tif 000006
【図５】
2004249155.tif 000007